(57)【特許請求の範囲】
【請求項１】
容器体１の口頸部２にポンプ３を着脱自在に装着して、該ポンプの操作によりその容器体１内の内容物を外部へと噴出させるポンプ付き容器において、上記容器体１を内容物が充填された簡易な詰め替え容器体４と該詰め替え容器体の胴部５の外周に着脱自在に装着した外装筒６とから構成し、また、該外装筒６を上記詰め替え容器体の胴部５に着脱自在にかつ回転不能に嵌合させる有底外装筒本体７と該有底外装筒本体の上端に回転自在に嵌合させた回転リング８とから構成し、かつ上記詰め替え容器体４の円筒状胴部５の両側面を垂直な平坦面12に窪ませるとともに、有底外装筒本体７の内周面の両側にそれぞれ上記両平坦面12へ当接させて嵌合の回止めをする縦突条16を付設し、更に回転リング８には、該回転リングの上端内縁に、上記両平坦面12と対応させてかつ両平坦面を通過し得る可能な限りの長さで一対の係止片22を内向きに突設することにより、回動によって上記詰め替え容器体４に保持させることが可能な係止手段９を講じたことを特徴とする詰め替え式ポンプ付き容器。
【請求項２】
容器体１の口頸部２にポンプ３を着脱自在に装着して、該ポンプの操作によりその容器体１内の内容物を外部へと噴出させるポンプ付き容器において、上記容器体１を内容物が充填された簡易な詰め替え容器体４と該詰め替え容器体の胴部５の外周に着脱自在に装着した外装筒６とから構成したことを特徴とする詰め替え式ポンプ付き容器において、
上記容器体１を、上記ポンプ３を螺着する口頸部２を備えかつ該口頸部の下に薄肉の肩部10、胴部５、底部11を備えた簡易な詰め替え容器体４と、該詰め替え容器体の胴部５の外周に着脱自在に装着した上記外装筒６とから構成し、該外装筒６を、その詰め替え容器体の胴部５に着脱自在にかつ回転不能に嵌合させた有底外装筒本体７と、該有底外装筒本体の上端に回転自在に嵌合させた回転リング８とから構成し、上記詰め替え容器体４の胴部５につき、肩部10及び底部11を含めて円筒状に形成するとともに、両側面を垂直な平坦面12に窪ませ、底部11の中央を下方へ膨出させることにより内底面中央に液溜14を形成して、該液溜に上記ポンプ３の吸上げパイプ13の下端を位置させ、また、肩部10の周縁に凹段部15を周設し、上記有底外装筒本体７につき、上記詰め替え容器体４の胴部５の外側に嵌まる有底円筒に形成するとともに、内周面の両側にそれぞれ上記両平坦面12へ当接させて嵌合の回止めをする複数の縦突条16を付設し、底壁17の内底面コーナー部に詰め替え容器体４の底部11を受ける複数の受け片18を配設し、上端部の外周にリング嵌合部19を設けて、該リング嵌合部に回転リング８を回転自在に嵌合させ、該回転リングの上端内縁に、上記両平坦面12と対応させてかつ両平坦面を通過し得る可能な限りの長さで一対の係止片22を内向きに突設して、両平坦面通過後に当該回転リング８を回動させることで両係止片22を共に上記詰め替え容器体４の上記凹段部15へと離脱可能に係合させることにより、当該外装筒６を上記詰め替え容器体４に保持させる係止手段９を講じたことを特徴とする詰め替え式ポンプ付き容器。
【発明の詳細な説明】
【０００１】
【発明の属する技術分野】
本発明は、交換自在な詰め替え容器体を備えた詰め替え式ポンプ付き容器に関するものである。
【０００２】
【従来の技術】
容器体の口頸部に噴霧ノズル、直射ノズル、発泡ノズル等のノズルを備えたポンプを着脱自在に装着して、該ポンプの操作によりその容器体内の内容物を外部へと噴出させるポンプ付き容器は既によく知られている（実開平6‐57452 号公報、実開平5‐33854 号公報、実開平5‐2757号公報等）。
この種の容器では、液体等の内容物を使い果たして容器体内が空になれば、再び充填することで幾度も使用するとことができる。
【０００３】
【発明が解決しようとする課題】
しかし、需要者において、その都度充填することは甚だ面倒で手間がかかり、充填の際に漏れて周辺を汚すことや内容物のロスを伴うこともある。
そこで、容器体を交換自在な簡易な詰め替え容器体とその外側に着脱自在に嵌合させた外装筒とから構成して、空になった詰め替え容器体だけを予め内容物が充填された他の詰め替え容器体に交換することで、それらの問題点を解決しようとするものである。
【０００５】
【課題を解決するための手段】
上記目的達成のため、請求項１の発明は、容器体１の口頸部２にポンプ３を着脱自在に装着して、該ポンプの操作によりその容器体１内の内容物を外部へと噴出させるポンプ付き容器において、上記容器体１を内容物が充填された簡易な詰め替え容器体４と該詰め替え容器体の胴部５の外周に着脱自在に装着した外装筒６とから構成し、また、該外装筒６を上記詰め替え容器体の胴部５に着脱自在にかつ回転不能に嵌合させる有底外装筒本体７と該有底外装筒本体の上端に回転自在に嵌合させた回転リング８とから構成し、かつ上記詰め替え容器体４の円筒状胴部５の両側面を垂直な平坦面12に窪ませるとともに、有底外装筒本体７の内周面の両側にそれぞれ上記両平坦面12へ当接させて嵌合の回止めをする縦突条16を付設し、更に回転リング８には、該回転リングの上端内縁に、上記両平坦面12と対応させてかつ両平坦面を通過し得る可能な限りの長さで一対の係止片22を内向きに突設することにより、回動によって上記詰め替え容器体４に保持させることが可能な係止手段９を講じて成る。
【０００６】
請求項２の発明は、容器体１の口頸部２にポンプ３を着脱自在に装着して、該ポンプの操作によりその容器体１内の内容物を外部へと噴出させるポンプ付き容器において、上記容器体１を内容物が充填された簡易な詰め替え容器体４と該詰め替え容器体の胴部５の外周に着脱自在に装着した外装筒６とから構成したことを特徴とする詰め替え式ポンプ付き容器において、
上記容器体１を、上記ポンプ３を螺着する口頸部２を備えかつ該口頸部の下に薄肉の肩部10、胴部５、底部11を備えた簡易な詰め替え容器体４と、該詰め替え容器体の胴部５の外周に着脱自在に装着した上記外装筒６とから構成し、該外装筒６を、その詰め替え容器体の胴部５に着脱自在にかつ回転不能に嵌合させた有底外装筒本体７と、該有底外装筒本体の上端に回転自在に嵌合させた回転リング８とから構成し、上記詰め替え容器体４の胴部５につき、肩部10及び底部11を含めて円筒状に形成するとともに、両側面を垂直な平坦面12に窪ませ、底部11の中央を下方へ膨出させることにより内底面中央に液溜14を形成して、該液溜に上記ポンプ３の吸上げパイプ13の下端を位置させ、また、肩部10の周縁に凹段部15を周設し、上記有底外装筒本体７につき、上記詰め替え容器体４の胴部５の外側に嵌まる有底円筒に形成するとともに、内周面の両側にそれぞれ上記両平坦面12へ当接させて嵌合の回止めをする複数の縦突条16を付設し、底壁17の内底面コーナー部に詰め替え容器体４の底部11を受ける複数の受け片18を配設し、上端部の外周にリング嵌合部19を設けて、該リング嵌合部に回転リング８を回転自在に嵌合させ、該回転リングの上端内縁に、上記両平坦面12と対応させてかつ両平坦面を通過し得る可能な限りの長さで一対の係止片22を内向きに突設して、両平坦面通過後に当該回転リング８を回動させることで両係止片22を共に上記詰め替え容器体４の上記凹段部15へと離脱可能に係合させることにより、当該外装筒６を上記詰め替え容器体４に保持させる係止手段９を講じて成る。
【０００７】
【発明の実施の形態】
図面は、本発明に係る詰め替え式ポンプ付き容器の実施の形態を示している。図において、１は、容器体、３は、該容器体の口頸部２に着脱自在に螺着したポンプ、29は、該ポンプに着脱自在に被着嵌合させたキャップであり、これらは適宜合成樹脂から成る。
【０００８】
容器体１は、ポンプ３を螺着する口頸部２を備えかつ該口頸部の下に薄肉の肩部10、胴部５、底部11を備えた簡易な詰め替え容器体４と、該詰め替え容器体の胴部５の外周に着脱自在に装着した外装筒６とから成り、該外装筒は、その詰め替え容器体の胴部５に着脱自在にかつ回転不能に嵌合させた有底外装筒本体７と、該有底外装筒本体の上端に回転自在に嵌合させた回転リング８とから成り、該回転リングには、回動により上記詰め替え容器体４に保持させる係止手段９を講じている。
【０００９】
詰め替え容器体４の胴部５は、肩部10及び底部11を含めて円筒状に形成するとともに、両側面を垂直な平坦面12に窪ませ、また、底部11の中央を下方へ膨出させることにより内底面中央に液溜14を形成して、該液溜にポンプ３の吸上げパイプ13の下端を位置させ、肩部10の周縁に上記係止手段９の受け部分たる凹段部15を周設している。
【００１０】
外装筒６の有底外装筒本体７は、詰め替え容器体４の胴部５の外側に嵌まる有底円筒に形成するとともに、内周面の両側にそれぞれ上記両平坦面12へ当接させて嵌合の回止めをする３本の縦突条16を付設し、底壁17の内底面コーナー部に詰め替え容器体４の底部11を受ける複数の受け片18を配設している。また、上端部の外周をやや小径にしてリング嵌合部19を設け、該リング嵌合部に係合突条20を周設している。
そして、上記リング嵌合部19には、内周面にその係合突条20と嵌合する係合凹溝21を周設した回転リング８を回転自在に嵌合させており、該回転リングの上端内縁には、上記両平坦面12と対応させてかつ両平坦面を通過し得る可能な限りの長さで一対の係止片22を内向きに突設して、両平坦面通過後に回転リング８を回動させることで、両係止片22を共に詰め替え容器体４の上記凹段部15へ係合させるようにし、もって、上記係止手段９としている。
【００１１】
ポンプ３は、ポンプ本体23から詰め替え容器体４の胴部５内へ垂下させる吸上げパイプ13を垂設し、ポンプ本体の上に噴霧ノズル、直射ノズル、発泡ノズル等のノズルを有する押下げノズルヘッド24を備え、また、ポンプ本体23の上部に装着筒25を備えて、該装着筒により詰め替え容器体４の口頸部２へと着脱自在に螺着させている。
26は、装着筒25の外側に設けた外周壁、27は、キャップ29を係止するために該外周壁の下部外周に周設した係止突条、28は、キャップ29の下端を受けるために外周壁の下端に設けた外向きフランジ、30は、その係止突条27に係止させるためにキャップ29の内縁に設けた係合突条である。
【００１２】
如上の構成であるから、詰め替え容器体４内の内容物が空になったときは、内容物が充填されている他の詰め替え容器体４と交換することとなるが、その際には、次の手順で行う。
▲１▼  まず、図１、図２の状態において、回転リング８を回動させて両係止片22を詰め替え容器体４の両平坦面12の位置にもたらし（図４（1) ）、外装筒６全体  を下方へ引き抜く。
▲２▼  次に、ポンプ３をその空の詰め替え容器体４の口頸部２から螺脱させて取り外し、内容物が充填されている他の詰め替え容器体４に付け替える。
▲３▼  最後に、取り外した外装筒６を、付け替えた詰め替え容器体４の外側に十分に嵌合させ、回転リング８を逆回動させて、該回転リングの両係止片22を詰め替え容器体４の凹段部15へ係合させる（図４（2) ）。
なお、以上の手順において、外装筒２の取り外しを、詰め替え容器体４からのポンプ３の取り外しより先行させてもよく、また、他の詰め替え容器体４への外装筒２の取り付けを、ポンプ３の取り付けより先行させてもよい。
後は、キャップ29を外した状態で、従来同様に、ポンプ３の押下げノズルヘッド24を押し下げし、放しして、ポンプ３を働かせ、ノズルから内容物を噴出させればよい。
【００１３】
【発明の効果】
本発明によれば、容器体１を内容物が充填された簡易な詰め替え容器体４と該詰め替え容器体の胴部５の外周に着脱自在に装着した外装筒６とから構成したから、詰め替え容器体４内の内容物が無くなれば、予め内容物が充填されている他の詰め替え容器体４と交換することができ、つまり、容器価格の大半を占めるポンプ３と外装筒６とを残して低価格の簡易な詰め替え容器体４だけを交換すれば足り、したがって、ポンプ３及び外装筒６を繰り返し使用する豪華で見映えのよい高級なものにできて、使い捨ての経済的損失を無くすることができる。また、需要者においてその都度内容物を充填する面倒がなくて、ほとんど手間がかからず、充填することで内容物が漏れて周辺を汚すことも内容物のロスを伴うこともない。
【００１４】
加えて、本発明によれば、外装筒６を詰め替え容器体の胴部５に着脱自在にかつ回転不能に嵌合させる有底外装筒本体７と該有底外装筒本体の上端に回転自在に嵌合させた回転リング８とから構成し、該回転リングには、回動により詰め替え容器体４に保持させる係止手段９を講じているので、詰め替え容器体の胴部５への外装筒６の着脱は、有底外装筒本体７の抜き差しと回転リング８の回動だけで足り、操作が極めて簡単かつ容易である。
【００１５】
そして、請求項２の発明によれば、既述構成であるから、詰め替え式ポンプ付き容器を的確にかつ合理的に実現でき、確実な操作と動作及び適正な取り扱いを支障なく確保でき、しかも、構造、並びに、製作が簡単で安価に提供できる。
【図面の簡単な説明】
【図１】  本発明に係る実施の形態を示す截断側面図である。
【図２】  同実施の形態における截断背面図である。
【図３】  同実施の形態における分解斜視図である。
【図４】  同実施の形態における要部の説明平面図である。
【符号の説明】
１…容器体                      ２…口頸部
３…ポンプ                      ４…詰め替え容器体
５…胴部                        ６…外装筒
７…有底外装筒本体              ８…回転リング
９…係止手段                    10…肩部
11…底部                        12…平坦面
13…吸上げパイプ                14…液溜
15…凹段部                      16…縦突条
17…底壁                        18…受け片
19…リング嵌合部                20…係合突条
21…係合凹溝                    22…係止片
23…ポンプ本体                  24…押下げノズルヘッド
25…装着筒                      26…外周壁
27…係止突条                    28…外向きフランジ
29…キャップ                    30…係合突条
【図１】
0003638756.tif 000002
【図２】
0003638756.tif 000003
【図３】
0003638756.tif 000004
【図４】
0003638756.tif 000005